(57)【要約】【課題】壁の取付作業を容易にすることができる化粧部材を提供する。【解決手段】化粧部材２は、壁３を構成する壁材６が上に配置される底板１１と、その底板１１における前記壁材６の表面６ａ側の端部から上方に延設される、第一側板１２と、底板１１における前記壁材６の裏面６ｂ側の端部から上方に延設されて、前記第一側板１２との間に間隙Ｓを形成するようにして対向位置する、第二側板１３とを備える。そして、前記間隙Ｓに前記壁材６が挿入されると、前記第一側板１２および前記第二側板１３は、前記壁材６に当接して、その壁材６を支持する。【選択図】  図１
2004324066.tif 000002
【特許請求の範囲】
【請求項１】
壁と床との境界部分を化粧すべく、前記境界部分に沿って延びるように、取付面に取り付けられる化粧部材であって、
前記壁を構成する壁材が上に配置される底板と、
前記底板における前記壁材の表面側の端部から上方に延設されるとともに、前記壁材の表面に当接して、その壁材を支持し、かつ、前記壁材における前記境界部分を覆い隠す、第一側板とを備えることを特徴とする化粧部材。
【請求項２】
前記底板における前記壁材の裏面側の端部から上方に延設されるとともに、前記壁材の裏面に当接して、その壁材を支持する、第二側板を備えることを特徴とする請求項１に記載の化粧部材。
【請求項３】
前記第一側板の高さと前記第二側板の高さとは、異なることを特徴とする請求項２に記載の化粧部材。
【請求項４】
前記第一側板または／および第二側板における内面には、内方に向かって突出するとともに、前記化粧部材の長手方向に延びる凸部が設けられ、
前記第一側板または／および第二側板は、前記壁材に、前記凸部を介して当接することを特徴とする請求項２または３に記載の化粧部材。
【請求項５】
前記底板の上面には、前記化粧部材を前記取付面に固定するための固定具を位置決めする位置決め凹部が、前記化粧部材の長手方向に沿って形成されていることを特徴とする請求項１ないし４のいずれか１項に記載の化粧部材。
【請求項６】
前記化粧部材は、型材を適宜長さで切断して形成されることを特徴とする請求項１ないし５のいずれか１項に記載の化粧部材。
【請求項７】
請求項１ないし６のいずれか１項に記載の化粧部材を用いた、壁と床との境界部分の化粧構造であって、
前記化粧部材は、前記取付面となる、前記床を構成する床材の上面に取り付けられることを特徴とする化粧構造。
【請求項８】
請求項１ないし６のいずれか１項に記載の化粧部材を用いた、壁と床との境界部分の化粧構造であって、
前記床は、下地床材と、その下地床材の上に配置される床仕上材とから構成され、
前記化粧部材は、前記取付面となる、前記下地床材の上面に取り付けられ、
前記床仕上材は、その端面が前記第一側板に面するようにして、前記下地床材の上に配置され、
前記第一側板は、前記床仕上材の上面よりも上方に突出していることを特徴とする化粧構造。
【請求項９】
請求項１ないし６のいずれか１項に記載の化粧部材を二つと、コーナー化粧部材とを用いた、室内の出隅部分における壁と床との境界部分の化粧構造であって、
前記二つの化粧部材は、それらの化粧部材に、前記出隅部分の壁を構成する各壁材が干渉しないように、前記出隅部分の角部から控えるようにして、前記取付面に取り付けられ、
前記コーナー化粧部材は、前記化粧部材が控えた前記角部における前記壁材を覆うように取り付けられることを特徴とする化粧構造。
【請求項１０】
前記コーナー化粧部材は、板状部材からなり、折り曲げられて前記壁材に取り付けられることを特徴とする請求項９に記載の化粧構造。
【請求項１１】
前記コーナー化粧部材には、折り曲げ用の溝が上下に延びるように形成されていることを特徴とする請求項１０に記載の化粧構造。
【請求項１２】
前記コーナー化粧部材の裏面側には、クッション部材が設けられていることを特徴とする請求項９ないし１１のいずれか１項に記載の化粧構造。
【発明の詳細な説明】
【０００１】
【発明の属する技術分野】
この発明は、壁材と床材との境界部分を化粧する、化粧部材および化粧構造に関するものである。
【０００２】
【従来の技術】
従来、壁と床との境界部分を化粧するものとしては、幅木があった。この幅木は、例えば、木製の板状部材であって、壁と床との境界部分である、壁の下部部分に、釘や接着材等によって固定された。これにより、壁の下部の汚れと損傷を防ぐことができた。
【０００３】
【発明が解決しようとする課題】
ところで、前記従来の幅木を取り付けるには、当然のことながら予め壁材を配置する必要があった。そして、壁材を配置するには、例えば石膏ボードを柱等にあてがうように押さえながら、すなわち、石膏ボードがずれないように支えながら釘等を打ち込んで固定しなければならず、その作業が煩わしかった。
【０００４】
この発明は、前記従来の欠点を解決するためになされたものであり、その目的とするところは、壁と床との境界部分における壁の下部を保護するとともに、壁材の取付作業を容易にすることができる化粧部材および化粧構造を提供することにある。
【０００５】
【課題を解決するための手段】
この発明に係る化粧部材および化粧構造は、前記目的を達成するために、次の構成からなる。すなわち、
請求項１に記載の化粧部材は、壁と床との境界部分を化粧すべく、前記境界部分に沿って延びるように、取付面に取り付けられる化粧部材であって、前記壁を構成する壁材が上に配置される底板と、前記底板における前記壁材の表面側の端部から上方に延設されるとともに、前記壁材の表面に当接して、その壁材を支持し、かつ、前記壁材における前記境界部分を覆い隠す、第一側板とを備える。
【０００６】
これによれば、化粧部材は、その底板を介して、取付面に取り付けられる。そして、壁を構成する壁材を、その表面が第一側板に当接するようにして、前記底板の上に配置する。こうして、前記壁材は、第一側板に支持されるようにして位置決めされる。また、第一側板は、壁材における前記境界部分を覆い隠す。
【０００７】
請求項２に記載の化粧部材のように、前記底板における前記壁材の裏面側の端部から上方に延設されるとともに、前記壁材の裏面に当接して、その壁材を支持する、第二側板を備えることが望ましい。これによれば、壁材を、前記第一側板と第二側板との間に挿入するようにして、底板の上に配置する。こうして、前記壁材は、前記第一側板および前記第二側板に支持されるようにして位置決めされる。
【０００８】
請求項３に記載の化粧部材のように、前記第一側板の高さと前記第二側板の高さとは、異なることが望ましい。これによれば、第一側板と第二側板のうちの高い方の側板に当てるようにして、壁材を下ろすことで、その壁材は、第一側板と第二側板との間に挿入される。
【０００９】
請求項４に記載の化粧部材のように、前記第一側板または／および第二側板における内面には、内方に向かって突出するとともに、前記化粧部材の長手方向に延びる凸部が設けられ、前記第一側板または／および第二側板は、前記壁材に、前記凸部を介して当接してもよい。これによれば、凸部が設けられた側板は、壁材に凸部を介して当接する。すなわち、前記壁材と前記側板との当接面積が小さくなることから、前記壁材は、第一および第二側板の間にスムーズに挿入される。
【００１０】
請求項５に記載の化粧部材のように、前記底板の上面には、前記化粧部材を前記取付面に固定するための固定具を位置決めする位置決め凹部が、前記化粧部材の長手方向に沿って形成されていることが望ましい。これによれば、化粧部材の底板に固定具を貫通させる際に、固定具が位置決め凹部によって位置決めされるので、その作業が容易となる。
【００１１】
請求項６に記載の化粧部材のように、前記化粧部材は、型材を適宜長さで切断して形成されてもよい。これにより、型材を切断することで様々な長さの化粧部材を提供できる。
【００１２】
請求項７に記載の化粧構造は、請求項１ないし６のいずれか１項に記載の化粧部材を用いた、壁と床との境界部分の化粧構造であって、前記化粧部材は、前記取付面となる、前記床を構成する床材の上面に取り付けられる。このように、化粧部材は、床を構成する床材の上面に取り付けられる。そして、壁材を、その表面が化粧部材の第一側板に当接するようにして、前記化粧部材の底板の上に配置する。こうして、壁材は、第一側板に支持されるようにして、位置決めされる。ここで、第一側板は、前記壁材における境界部分を覆い隠す。
【００１３】
請求項８に記載の化粧構造は、請求項１ないし６のいずれか１項に記載の化粧部材を用いた、壁と床との境界部分の化粧構造であって、前記床は、下地床材と、その下地床材の上面に配置される床仕上材とから構成される。そして、前記化粧部材は、前記取付面となる、前記下地床材の上面に取り付けられ、前記床仕上材は、その端面が前記第一側板に面するようにして、前記下地床材の上に配置される。ここで、前記第一側板は、前記床仕上材の上面よりも上方に突出している。
【００１４】
このように、化粧部材は、下地床材の上面に取り付けられる。そして、壁材を、その表面が化粧部材の第一側板に当接するようにして、前記化粧部材の底板の上に配置する。こうして、壁材は、化粧部材の第一側板に支持されるようにして、位置決めされる。さらに、床仕上材をその端面が前記第一側板に面するようにして、前記下地床材の上に配置することで、床が形成される。このとき、第一側板は、前記床仕上材の上面よりも上方に突出して、前記壁材における境界部分を覆い隠す。
【００１５】
請求項９に記載の化粧構造は、請求項１ないし６のいずれか１項に記載の化粧部材を二つと、コーナー化粧部材とを用いた、室内の出隅部分における壁と床との境界部分の化粧構造である。ここで、前記二つの化粧部材は、それらの化粧部材に、前記出隅部分の壁を構成する各壁材が干渉しないように、前記出隅部分の角部から控えるようにして、前記取付面に取り付けられ、前記コーナー化粧部材は、前記化粧部材が控えた前記角部における前記壁材を覆うように取り付けられる。このように、出隅部分の角部を覆うように、コーナー化粧部材を取り付けることで、角部における壁の下部が保護される。
【００１６】
請求項１０に記載の化粧構造のように、前記コーナー化粧部材は、板状部材からなり、折り曲げられて前記壁材に取り付けられてもよい。
【００１７】
請求項１１に記載の化粧構造のように、前記コーナー化粧部材には、折り曲げ用の溝が上下に延びるように形成されていることが望ましい。これにより、コーナー化粧部材を溝に沿って容易に、かつ、綺麗に折り曲げることが可能となる。
【００１８】
請求項１２に記載の化粧構造のように、前記コーナー化粧部材の裏面側には、クッション部材が設けられていてもよい。これによれば、出隅部分の角部に物が当たった時には、クッション部材が衝撃を吸収する。
【００１９】
【発明の実施の形態】
以下、この発明に係る化粧部材および化粧構造の実施の形態を図面に基づいて説明する。
【００２０】
図１ないし図３は、本発明に係る化粧部材および化粧構造の第一の実施の形態を示す。図中符号１は、化粧部材２を用いた、壁３と床４との境界部分の化粧構造を示す。壁３は、建物の構造材Ｂとしての、例えば、柱５等に、釘等の固着具によって固定される、石膏ボード等からなる壁材６によって構成されている。また、床４は、建物の構造材Ｂとしての、例えば、根太７等の上面に取り付けられる、合板等からなる下地床材８と、この下地床材８の上に、その端面が化粧部材２の後述する第一側板１２に面するようにして配置される、床仕上材としての、例えば、フローリングボード９とで構成されている。
【００２１】
化粧部材２は、前記壁３と前記床４との境界部分を化粧すべく、前記境界部分に沿って延びるように、取付面Ｔとしての前記下地床材８の上面８ａに取り付けられる幅木材であり、後述する第二側板１３を前記柱５にあてがうようにして、前記下地床材８の上面８ａに取り付けられる。この化粧部材２は、金属製（例えば、アルミニウム合金製）の型材Ｆを適宜長さに切断して形成されており、底板１１１と第一側板１２と第二側板１３とを備える。ここで、底板１１は、前記下地床材８の上面８ａに固定されるとともに前記壁材６がその上に配置される。第一側板１２は、前記底板１１における前記壁材６の表面６ａ側の端部から上方に延設されている。第二側板１３は、前記底板１１における前記壁材６の裏面６ｂ側の端部から上方に延設されて、前記第一側板１２との間に間隙Ｓを形成するようにして対向位置している。
【００２２】
底板１１の上面の幅方向中央には、前記化粧部材２を取付面Ｔとしての前記下地床材８の上面８ａに固定するための、例えば、木ネジ等の固定具Ｋを位置決めする、例えば、縦断面Ｖ字形状の位置決め凹部１１ａが、前記化粧部材２の長手方向に沿って形成されている。図示実施の形態においては、位置決め凹部１１ａは、前記化粧部材２の長手方向に連続して延びるように形成されている。
【００２３】
第一側板１２は、フローリングボード９の上面９ａよりも上方に突出するように、前記フローリングボード９の厚みよりも高く形成されており、前記壁材６における前記境界部分を覆い隠す。一方、第二側板１３は、その高さと前記第一側板の高さとが異なるように、詳しくは、前記第一側板１２の高さよりも低く形成されている。図示実施の形態においては、第二側板１３は、第一側板１２の半分の高さに形成されている。また、第一側板１２または／および第二側板１３の内面には、内方に向かって突出するとともに、前記化粧部材２の長手方向に延びる凸部１４が設けられている。図示実施の形態においては、凸部１４は、第一側板１２および第二側板１３の両方の内面に、長手方向に連続して延びるように設けられている。詳しくは、凸部１４は、縦断面半円形状であって、前記第二側板１３においては、その高さ方向に間隔をおいて二つ設けられ（さらに詳しくは、凸部１４は、上端と高さ方向中央との二箇所に設けられる。）、前記第一側板１２においては、前記第二側板１３に設けられた凸部１４、１４と同一高さとならない位置に、高さ方向に間隔をおいて三つ設けられている。より詳細には、第一側板１２側の凸部１４、１４と第二側板１３側の凸部１４、１４とは、高さ方向において互い違いに対向位置している。そして、前記第一側板１２は、これら凸部１４、１４を介して、前記壁材６の表面６ａに当接して、この壁材６を支持し、前記第二側板１３は、前記凸部１４、１４を介して、前記壁材６の裏面６ｂに当接して、この壁材６を支持する。
【００２４】
次に、以上の構成からなる化粧構造１および化粧部材２の作用効果について説明する。この化粧構造１および化粧部材２によれば、化粧部材２は、その第二側板１３を柱５にあてがうようにして取付面Ｔ（下地床材８の上面８ａ）に載置される。そして、固定具Ｋを、前記化粧部材２における底板１１に貫通させて下地床材８にねじ込むことで、この化粧部材２は、下地床材８の上面８ａに固定される。このとき、底板１１の上面に形成された位置決め凹部１１ａにより、固定具Ｋが位置決めされるので、固定具Ｋを底板１１および下地床材８にねじ込む作業が容易となる。そして、壁材６を第一側板１２と第二側板１３との間の間隙Ｓに挿入するようにして、前記底板１１の上に配置する、詳しくは、底板１１にねじ込まれた固定具Ｋに載せることで、前記壁材６は、第一側板１２および第二側板１３に支持されるようにして容易に位置決めされる。ここで、壁材６を前記間隙Ｓに挿入するときには、その壁材６と第一側板１２および第二側板１３とが当接するので、前記壁材６は、前記第一側板１２および前記第二側板１３に擦れるようにして、前記間隙Ｓに挿入されることとなる。図示実施の形態においては、前記壁材６は、第一側板１２および第二側板１３と、それらの内面に設けられた凸部１４、１４を介して当接するので、凸部１４、１４が設けられない場合、すなわち、前記壁材６が前記第一側板１２および前記第二側板１３の内面全体と当接する場合に比べて、壁材６と第一側板１２および第二側板１３との当接面積が小さい。したがって、前記壁材６が間隙Ｓに挿入されるときの摩擦抵抗が小さいので、壁材６は、前記間隙Ｓにスムーズに挿入される。さらに、前記凸部１４、１４が高さ方向において互い違いに対向位置しているので、壁材６は、一層スムーズに挿入される。また、第一側板１２の高さおよび第二側板１３の高さが異なることから、壁材６は、第一側板１２と第二側板１３のうち高い方の側板（図示実施の形態においては、第一側板１２）に当てるようにして下ろすことで、前記間隙Ｓに挿入されるので、前記間隙Ｓに容易に挿入される。そして、壁材６を釘等の固着具によって、前記壁材６の裏面６ｂ側の柱５等に固定することで壁３が形成される。このとき、第一側板１２および第二側板１３が壁材６に当接して、その壁材６を支持しているので、前記壁材６は、ずれる虞が少なく、所定位置に、容易に固定される。そして、フローリングボード９を、その端面が前記第一側板１２に面するようにして、前記下地床材８の上面８ａに配置すると、前記第一側板１２は、前記フローリングボード９の上面９ａより上方に突出して、前記壁材６における壁３と床４との境界部分を覆い隠すので、壁３の下部を保護することができる。また、フローリングボード９は、壁材６によって壁３を形成した後に配置する。すなわち、フローリングボード９は、室内の造作工事の最後に配置することができるので、室内の造作工事中にフローリングボード９を傷めてしまうことがない。
【００２５】
また、前記第一の実施の形態において、石膏ボード等の壁材６の表面６ａに、クロス等の壁装材を貼り付ける場合においては、壁材６を柱５等に固定した後に壁装材を接着剤等によって貼り付ける。前記第一の実施の形態においては、化粧部材２（型材Ｆ）は、前述のとおり金属製（例えば、アルミニウム合金製）であって、その厚みを例えば１ｍｍ程度として形成されており、可撓性を有している。そして、第一側板１２を撓ませるようにして、壁材６との間に間隙を形成して、その間隙に前記壁装材の先端部分を挿入することで、その先端部分を第一側板で覆い隠すことができ、壁３を見栄えよく装飾することができる。
【００２６】
図４ないし図９は、本発明に係る化粧部材および化粧構造の第二の実施の形態を示す。図中符号２１は、二つの化粧部材２２、２３と、コーナー化粧部材２４とで構成される、室内の出隅部分における壁２５と床２６との境界部分の化粧構造を示す。出隅部分における壁２５は、第一実施の形態と同じように石膏ボード等からなる、二枚の壁材２７、２８によって構成される。ここで、化粧部材２２、２３は、第一の実施の形態に示した化粧部材２と同様に、型材Ｆを適宜長さに切断して形成され、前記化粧部材２と同一構成であり、同一符号を付して説明する。また、床２６についても、第一の実施の形態と同一構成であり、同一符号を付して説明する。
【００２７】
化粧部材２２、２３は、それらの化粧部材２２、２３に、前記出隅部分の壁２５を構成する各壁材２７、２８が干渉しないように、前記出隅部分の角部Ｃから控えるようにして、取付面Ｔとしての下地床材８の上面８ａに取り付けられる。詳しくは、一方の化粧部材２２は、その第二側板１３を、構造材Ｂとしての、例えば、柱２９の第一面２９ａにあてがうように、また、その化粧部材２２の長手方向の一端面２２ａが、前記柱２９における前記第一面２９ａと隣り合う、第二面２９ｂと面一となるように、下地床材８の上面８ａに取り付けられる。また、他方の化粧部材２３は、その第二側板１３を、前記第二面２９ｂにあてがうように、また、その化粧部材２３の長手方向の一端面２３ａが、前記第一面２９ａと面一となるように、下地床材８の上面８ａに取り付けられる。そして、化粧部材２２の底板１１の上には、前記壁材２７が、また、化粧部材２３の底板１１の上には、前記壁材２８が配置される。図示実施の形態においては、壁材２７は、その先端面２７ｃが壁材２８の表面２８ａと面一となるように、前記化粧部材２２における前記一端面２２ａから突出している。一方、壁材２８は、その先端面２８ｃが前記壁材２７の裏面２７ｂに当接するように、化粧部材２３の前記一端面２３ａから僅かに突出している。そして、これら壁材２７、２８における化粧部材２２、２３の一端面２２ａ、２３ａからの突出部分が出隅部分における角部Ｃを形成している。
【００２８】
コーナー化粧部材２４は、化粧部材２２、２３が控えた前記角部Ｃにおける壁材２７、２８を覆うように取り付けられる。詳しくは、前記角部Ｃにおける、フローリングボード９の上面９ａより上方、かつ、前記化粧部材２２、２３の上端より下方に位置する部分を覆うように取り付けられる。図示実施の形態においては、コーナー化粧部材２４は、板状部材からなり、折り曲げられて前記壁材２７、２８に、例えば、接着剤等の固着手段を介して取り付けられる。このコーナー化粧部材２４は、金属製（例えば、アルミニウム合金製）の板材からなる表面部材２４ａと、コーナー化粧部材２４の裏面側となる、前記表面部材２４ａの裏面に設けられる、例えば、ゴムあるいは発泡ウレタン等からなる、クッション部材２４ｂとで構成されている。そして、前記コーナー化粧部材２４には、折り曲げ用の溝３０が上下に延びるように、厚さ方向に窪んで形成されている。
【００２９】
この第二の実施の形態に示す、化粧部材および化粧構造によれば、コーナー化粧部材２４を化粧部材２２、２３が控えた角部Ｃにおける壁材２７、２８を覆うように折り曲げ、接着剤等の固着手段を介して、壁材２７、２８に取り付けることで、前記出隅部分における角部Ｃの壁の下部を保護することができる。また、コーナー化粧部材２４には、折り曲げ用の溝３０が形成されているので、容易に、かつ、綺麗に折り曲げることができる。さらに、コーナー化粧部材２４の裏面側には、クッション部材２４ｂが設けられているので、例えば、人が前記角部Ｃに足をぶつけてしまったとき等には、そのクッション部材２４ｂが衝撃を吸収するので、人が足を怪我することを防ぐことができる。あるいは、前記角部Ｃに物をぶつけてしまったときには、同様にクッション部材２４ｂが衝撃を吸収するので、前記角部Ｃに当たった物が損傷しにくくなるとともに、角部Ｃ自体が損傷しにくくなる。
【００３０】
なお、本発明に係る化粧部材および化粧構造は、上述した実施の形態に限定されるわけではなく、その他種々の変更が可能である。第一および第二の実施の形態において、化粧部材２、２２および２３（以後、化粧部材２等と称する。）は、型材Ｆからなるが、必ずしも型材Ｆからならなくてもよい。また、その材質は、アルミニウム合金以外の金属、例えば、ステンレス等であってもよいし、あるいは、金属でなくとも合成樹脂であってもよい。また、化粧部材２等は、可撓性を有するように、その厚さ寸法が１ｍｍ程度となるように形成されているが、必ずしも化粧部材２等が可撓性を有する必要はないし、また、化粧部材２等の厚み寸法も、特に前記数値に限定されることはない。
【００３１】
また、第二側板１３は、第一側板１２の高さよりも低くなっているが、第一側板１２の高さと同じであってもよいし、また、第一側板１２よりも高くなっていてもよい。さらには、第二側板１３は、設けられなくてもよい。この場合においても、壁材６は、第一側板１２によって支持されるので、壁材６を柱５等に固定する際に、壁材６がずれてしまう虞は少ない。
【００３２】
また、第一側板１２および第二側板１３の内面には、壁材６と当接する凸部１４、１４が化粧部材２等の長手方向に連続して延びるように設けられているが、必ずしも連続して設けられる必要はなく、長手方向に沿うように断続的に設けられてもよい。また、凸部１４は、第一側板または第二側板のどちらか一方にのみ設けられてもよいし、さらには、どちらにも設けられなくてもよい。このように、側板の内面に凸部１４が設けられない場合においては、側板の内面が壁材６と当接することになる。また、凸部１４の形状も断面半円形状に限定されるわけではない。
【００３３】
また、底板１１には、化粧部材２等の長手方向に連続して延びるように位置決め凹部が形成されているが、必ずしも連続して設けられる必要はなく、長手方向に沿うように断続的に設けられてもよい。
【００３４】
また、床４、２６において、下地床材８は、合板等の木製でなくてもよく、コンクリート製（モルタル製）、合成樹脂製あるいは金属製等からなるものであってもよい。また、床４、２６において、床仕上材は、フローリングボード９に限定されるわけではなく、例えば、合成樹脂床材、カーペット、畳、コンクリート（モルタル）、または、タイル等のその他の素材からなるものであってもよい。また、化粧部材２等は、下地床材８の上面８ａに取り付けられているが、床仕上材の上面に取り付けられてもよい。また、床４、２６は、必ずしも、下地床材８および床仕上材とで構成されなくてよく、床仕上材のみによって構成されてもよい。この場合、床仕上材は、例えば、フローリングボード９、パーティクルボードフロア等の剛性を有する材料からなり、根太７等の構造材Ｂに直接取り付けられることは言うまでもない。
【００３５】
また、壁材６、２７、２８は、例えば、合板等であってもよく、石膏ボードに限定されるわけではない。また、第二の実施の形態において、壁材２７、２８は、一方の壁材２７の先端面２７ｃと他方の壁材２８の表面２８ａとが面一になるように、また、他方の壁材２８の先端面２８ｃと一方の壁材２７の裏面２７ｂとが当接するように、配置されているが、この限りではない。例えば、図１０に示すように、壁材２７、２８の先端面２７ｃ、２８ｃは、それぞれ表面２７ａ、２８ａから裏面２７ｂ、２８ｂに向かうにつれて、壁材２７、２８の後端面方向へ後退する傾斜面Ｍ１，Ｍ１となっていて、これら傾斜面Ｍ１、Ｍ１を突き合わせるようにして、壁材２７、２８が配置されてもよい。
【００３６】
また、第二の実施の形態においては、室内の出隅部分における壁と床との境界部分は、二つの化粧部材２２、２３とコーナー化粧部材２４によって、化粧されているが、図１１に示すように、二つの化粧部材３２、３３のみによって化粧されてもよい。これらの化粧部材３２、３３は、第一および第二の実施の形態の化粧部材２とほぼ同様の構成であって、異なる部分は、それらの一端面が斜めに形成されている点である。詳しくは、化粧部材３２、３３の一端面３２ａ、３３ａは，第一側板１２から第二側板１３に向かうにつれ、他端面方向へ後退する傾斜面Ｍ２、Ｍ２となっていて、これらの傾斜面Ｍ２、Ｍ２を突き合わせるようにして、化粧部材３２、３３を取付面Ｔに取り付けることで、化粧部材３２、３３は、出隅部分における壁の下部を保護する。
【００３７】
【発明の効果】
以上、詳述したことから明らかなように、この発明に係る化粧部材および化粧構造によれば、次の効果がある。
【００３８】
請求項１に記載の化粧部材によれば、壁材は、第一側板に支持されるようにして、位置決めされることから、壁材を柱等に取り付ける際に、壁材がずれる虞が少ないので、壁材の取付作業が容易となる。また、第一側板が壁材における境界部分を覆い隠すので、壁の下部は、化粧部材によって保護される。
【００３９】
請求項２に記載の化粧部材によれば、請求項１の効果に加えて、第一側板だけでなく第二側板も壁材を支持するので、壁材は、安定して支持される。したがって、壁材を柱等に取り付ける際に、壁材がずれる虞がますます少なくなる。
【００４０】
請求項３に記載の化粧部材によれば、請求項２の効果に加えて、壁材を第一側板と第二側板の間に容易に挿入することができる。
【００４１】
請求項４に記載の化粧部材によれば、請求項２または３の効果に加えて、側板に凸部が設けられることで、壁材と側板との当接面積が小さくなることから、壁材は、第一および第二側板の間にスムーズに挿入される。
【００４２】
請求項５に記載の化粧部材によれば、請求項１ないし４のいずれか１項の効果に加えて、固定具を化粧部材の底板に貫通させる際に、固定具が位置決め凹部によって位置決めされることから、その作業が容易となる。
【００４３】
請求項６に記載の化粧部材によれば、請求項１ないし５のいずれか１項の効果に加えて、化粧部材は、型材を切断することで形成されるので、様々な長さの化粧部材を容易に提供できる。
【００４４】
請求項７に記載の化粧構造によれば、壁材は、第一側板に支持されるようにして、位置決めされることから、壁材を柱等に取り付ける際に、壁材がずれる虞が少ないので、壁材の取付作業が容易となる。また、第一側板が壁材における境界部分を覆い隠すので、壁の下部は、化粧部材によって保護される。
【００４５】
請求項８に記載の化粧構造によれば、壁材は、第一側板に支持されるようにして、位置決めされることから、壁材を柱等に取り付ける際に、壁材がずれる虞が少ないので、壁材の取付作業が容易となる。また、第一側板は、前記床仕上材よりも上方に突出して、壁材における境界部分を覆い隠すので、壁の下部を保護することができる。
【００４６】
請求項９ないし１１に記載の化粧構造によれば、壁材は、第一側板に支持されるようにして、位置決めされることから、壁材を柱等に取り付ける際に、壁材がずれる虞が少ないので、壁材の取付作業が容易となる。また、コーナー化粧部材が角部における壁の下部を保護するので、二つの化粧部材とコーナー化粧部材によって、出隅部分における壁の下部を保護することができる。
【００４７】
請求項１２に記載の化粧構造によれば、請求項９ないし１１のいずれか１項の効果に加えて、出隅部分の角部に物が当たった時には、クッション部材が衝撃を吸収するので、前記出隅部分の角部およびその角部に当たった物が損傷しにくくなる。
【図面の簡単な説明】
【図１】この発明に係る化粧部材および化粧構造の第一の実施の形態を示す、斜視図である。
【図２】同じく、縦断面図である。
【図３】同じく、化粧部材の縦断面図である。
【図４】この発明に係る化粧部材および化粧構造の第二の実施の形態を示す、斜視図である。
【図５】同じく、平面図である。
【図６】同じく、図５におけるＡ−Ａ線による断面図である。
【図７】同じく、コーナー化粧部材の平面図である。
【図８】同じく、コーナー化粧部材を取り付ける前の状態を示す、斜視図である。
【図９】同じく、化粧部材を取付面に取り付けた状態を示す、平面図である。
【図１０】この発明に係る化粧部材および化粧構造の他の実施の形態を示す、平面図である。
【図１１】この発明に係る化粧部材および化粧構造のさらに他の実施の形態における、化粧部材を取付面に取り付けた状態を示す、平面図である。
【符号の説明】
１、２１  化粧構造
２、２２、２３、３２、３３  化粧部材
３、２５  壁
４、２６  床
６、２７、２８  壁材
８  下地床材                      ９  フローリングボード（床仕上材）
１１  底板                        １１ａ  位置決め凹部
１２  第一側板                    １３  第二側板
１４  凸部                        ２４  コーナー化粧部材
Ｂ  構造材                        Ｃ  角部
Ｆ  型材                          Ｋ  固定具
Ｍ１、Ｍ２  傾斜面                  Ｓ  間隙
Ｔ  取付面
【図１】
2004324066.tif 000003
【図２】
2004324066.tif 000004
【図３】
2004324066.tif 000005
【図４】
2004324066.tif 000006
【図５】
2004324066.tif 000007
【図６】
2004324066.tif 000008
【図７】
2004324066.tif 000009
【図８】
2004324066.tif 000010
【図９】
2004324066.tif 000011
【図１０】
2004324066.tif 000012
【図１１】
2004324066.tif 000013